(57)【要約】【課題】リレーの状態を正確に検知する。【解決手段】電力の導通、非導通を切り替えるスイッチと、スイッチの下流に備えられ、電気を流すことで電源への電力供給のＯＮ／ＯＦＦが切り替わるリレーと、リレーに電気を流すリレー駆動制御手段と、リレーの下流に備えられ、スイッチが導通状態、且つリレーがＯＦＦ状態であるときに電力供給を受けるリレー遮断状態検知手段と、を備えることを特徴とする。【選択図】図１
2011061983.tif 000002
【特許請求の範囲】
【請求項１】
電力の導通、非導通を切り替えるスイッチと、
前記スイッチの下流に備えられ、電気を流すことで電源への電力供給のＯＮ／ＯＦＦが切り替わるリレーと、
前記リレーに電気を流すリレー駆動制御手段と、
前記リレーの下流に備えられ、前記スイッチが導通状態、且つ前記リレーがＯＦＦ状態であるときに電力供給を受けるリレー遮断状態検知手段と、を備えることを特徴とする電源管理装置。
【請求項２】
前記スイッチの導通状態を検知して、前記リレー駆動制御手段に電気を流すタイミングを送出するコントローラを有することを特徴とする請求項１に記載の電源管理装置。
【請求項３】
前記リレー遮断状態検知手段は、前記電力供給による電力にて直接駆動可能な素子であることを特徴とする請求項１又は２記載の電源管理装置。
【請求項４】
前記リレー遮断状態検知手段は、前記コントローラにより前記タイミングが送出されると、前記スイッチが導通状態、且つ前記リレーがＯＦＦ状態であることを検知して前記コントローラに通知することを特徴とする請求項２又は３記載の電源管理装置。
【請求項５】
前記リレー遮断状態検知手段は、一定時間待機後に前記スイッチが導通状態、且つ前記リレーがＯＦＦ状態であることを検知して通知することを特徴とする請求項４記載の電源管理装置。
【請求項６】
前記リレー遮断状態検知手段は、前記コントローラにより前記タイミングが送出されると、前記スイッチが導通状態、且つ前記リレーがＯＦＦ状態であることを検知し、
前記スイッチが導通状態、且つ前記リレーがＯＦＦ状態であれば、複数回リレーのＯＮ／ＯＦＦ制御及び状態検知を行うことを特徴とする請求項２から５のいずれか１項に記載の電源管理装置。
【請求項７】
前記コントローラは、状態を通知されると、接続されている記憶装置との通信を遮断する通信遮断手段を備えることを特徴とする請求項４から６のいずれか１項に記載の電源管理装置。
【請求項８】
請求項１から７のいずれか１項に記載の電源管理装置を備えることを特徴とする画像形成装置。
【発明の詳細な説明】
【技術分野】
【０００１】
本発明は、リレーを遮断してシャットダウンを行う電源管理装置及び画像形成装置に関する。
【背景技術】
【０００２】
シャットダウン機能を有するシステムとしては、電源スイッチを切りＣＰＵよりシャットダウン処理完了通知を行うことによって、リレーを遮断するシステムが知られている。
【０００３】
関連する技術としてシャットダウン機能に用いるリレーが壊れていた場合には、溶着を検知する機能がある。シャットダウン機能の場合、リレーが破損し、電源オン時にリレーオフ状態になることがあり、常時リレーオフ状態の場合はシャットダウン機能が動作しなくとも、システムとしては起動／遮断処理を行えてしまう。
【０００４】
また、特許文献１に記載される技術では、第一の電源切り替えで電源オフしたあとに、所定の時間経過しても、第二の電源切り替え手段がオフされていないとき、第二の電源切り替え手段が故障していると判断する。
【発明の概要】
【発明が解決しようとする課題】
【０００５】
しかしながら、特許文献１では、第一の電源切り替え手段がオフ後、一定時間経過しても第二の電源切り替え手段がオフしないことをトリガとして故障検知を行っており、例えば、第二の切り替え手段が切れていてもシャットダウン機能が働かない状態で、動作を続けてしまうことが考えられるために、リレーの状態を正確には判断できない。
【０００６】
そこで本発明は、上記問題点に鑑みてなされたもので、リレーの状態を検知する電源管理装置及び画像形成装置を提供することを目的とする。
【課題を解決するための手段】
【０００７】
上記課題を解決するため、本発明における電源管理装置は、電力の導通、非導通を切り替えるスイッチと、スイッチの下流に備えられ、電気を流すことで電源への電力供給のＯＮ／ＯＦＦが切り替わるリレーと、リレーに電気を流すリレー駆動制御手段と、リレーの下流に備えられ、スイッチが導通状態、且つリレーがＯＦＦ状態であるときに電力供給を受けるリレー遮断状態検知手段と、を備えることを特徴とする。
【０００８】
スイッチの導通状態を検知して、リレー駆動制御手段に電気を流すタイミングを送出するコントローラを有することを特徴とする。
【０００９】
リレー遮断状態検知手段は、電力供給による電力にて直接駆動可能な素子であることを特徴とする。
【００１０】
リレー遮断状態検知手段は、コントローラによりタイミングが送出されると、スイッチが導通状態、且つリレーがＯＦＦ状態であることを検知してコントローラに通知することを特徴とする。
【００１１】
リレー遮断状態検知手段は、一定時間待機後にスイッチが導通状態、且つリレーがＯＦＦ状態であることを検知して通知することを特徴とする。
【００１２】
リレー遮断状態検知手段は、コントローラによりタイミングが送出されると、スイッチが導通状態、且つリレーがＯＦＦ状態であることを検知し、スイッチが導通状態、且つリレーがＯＦＦ状態であれば、複数回リレーのＯＮ／ＯＦＦ制御及び状態検知を行うことを特徴とする。
【００１３】
コントローラは、状態を通知されると、接続されている記憶装置との通信を遮断する通信遮断手段を備えることを特徴とする。
【００１４】
また、本発明における画像形成装置は、上記いずれかに記載の電源管理装置を備えることを特徴とする。
【発明の効果】
【００１５】
本発明により、リレーの状態を容易に検知することができ、機器の保護をより確実に行うことができる。
【図面の簡単な説明】
【００１６】
【図１】本発明の実施形態に係る電源管理システムの構成図である。
【図２】本発明の実施形態に係る電源管理システムのフローチャート図である。
【図３】本発明の他の実施形態に係る電源管理システムのフローチャート図である。
【図４】本発明の他の実施形態に係る電源管理システムのフローチャート図である。
【図５】本発明の他の実施形態に係る電源管理システムのフローチャート図である。
【図６】本発明の他の実施形態に係る電源管理システムのフローチャート図である。
【図７】本発明の他の実施形態に係る電源管理システムのフローチャート図である。
【発明を実施するための形態】
【００１７】
次に、発明を実施するための最良の形態について電源管理システムの構成例として、画像形成装置における実施例を示す。
【００１８】
図１は、本発明の実施形態における電源管理システムの回路ブロック図である。本電源管理システムは、電源１と、ＡＣ  ＳＷ２と、リレー３と、コントローラ（ＣＴＬ）４と、リレー駆動回路５と、リレー遮断状態検知手段６と、記憶装置７と、伝達手段８と、を有して構成される。
【００１９】
ＡＣ  ＳＷ２は、例えば物理的に切り替え可能なスイッチであり、ＯＮ時には通電して電力を供給することが可能となる。
【００２０】
リレー３は、電磁石を有するスイッチであり、リレー駆動回路５の制御により前記電磁石に電気が流れると、電気的に該スイッチが切り替わる。リレー３は、ＡＣ  ＳＷ２の下流に接続され、リレー３をＯＮ／ＯＦＦすることにより、電源１の電力供給（ＯＮ側）又はリレー遮断状態検知手段６（ＯＦＦ側）へと通電するように切り替わる。すなわち、リレー３を制御することによってＡＣ電源などの電力供給源からの電力を電源１（ＯＮ）あるいはリレー遮断状態検知手段（ＯＦＦ）へと供給することが可能となる。
【００２１】
コントローラ４は、ＡＳＩＣ９を有し、画像形成装置全体を制御する。また、ＡＣ  ＳＷ２のＯＮ／ＯＦＦを検知して、ＡＣ  ＳＷ２がＯＮになれば、リレー駆動回路５に対してリレー３をＯＮする（電流を流す）タイミングを送出する。なお、コントローラ４は、予め決められたプログラムなどによる電源管理に基づいて、ＡＣ  ＳＷ２のＯＮ／ＯＦＦ状態の検知結果から、リレー３のＯＮ／ＯＦＦ制御のタイミング（リレー駆動信号）を送出する。なお、コントローラ４は、電源１又はリレー遮断検知手段６より電力供給を受けて動作する。
【００２２】
リレー駆動回路５は、コントローラ４からのタイミング指示に従って、リレー３に対して電流を流すことで、リレー３をＯＮ／ＯＦＦ制御する。なお、リレー駆動回路５にて直接ＡＣ  ＳＷ２のＯＮ／ＯＦＦを検知してリレー３に電流を流すようにしても良い。
【００２３】
リレー遮断検知手段６は、リレー３の下流のＯＦＦ側に接続され、ＡＣ  ＳＷ２がＯＮの状態で、リレー３がＯＦＦの状態である場合にのみ、電力供給源からの電力が入力されるように備えられる。すなわち、ＡＣ  ＳＷ２がＯＮ状態にされて、リレー駆動回路５によりリレー３がＯＮ側に駆動制御された際に、リレー３が異常で遮断状態から切り替わらない場合、リレー遮断状態検知手段６に電力が供給される。
【００２４】
つまり、リレー遮断検知手段６に電力が供給される際には、ＡＣ  ＳＷ２がＯＮの状態で、リレー３がＯＦＦの状態であり、リレー遮断が検知されることになる。コントローラ４は、リレー遮断検知手段６への電力供給を検知した場合、リレー遮断状態を認識し、処理を決定する。例えば、コントローラ４は、リレー遮断状態を検知した際に記憶装置７との通信を遮断し、伝達手段８を用いて、ユーザや管理者、接続されたネットワークへ該異常情報を発信して知らせる。
【００２５】
図２は、本発明の実施形態における電源管理システムのフローチャート図である。ＡＣ  ＳＷ２がＯＮ状態になると（ステップＳ１１）、コントローラ４は、ＡＣ  ＳＷ２のＯＮを検知する（ステップＳ１２）。
【００２６】
リレー駆動回路５は、コントローラ４よりリレー駆動信号を受け取って、リレー３に電流を流してＯＮ状態にする（ステップＳ１３）。
【００２７】
リレー遮断状態検知手段６は、電力が供給されたか否かによりリレー３がＯＮ状態か否かを判断する（ステップＳ１４）。リレー３がＯＦＦ状態と判断されれば、リレー遮断状態検知手段６は異常状態をユーザや管理者に知らせる（ステップＳ１５）。
【００２８】
このように、電源１の中に備えられるリレー３（リレー駆動回路５）が異常で、遮断状態から切り替えられない場合には、ＡＣ  ＳＷ２がＯＮ状態にされた際に、リレー３をＯＮにするリレー駆動信号が送出されても、リレー３がＯＮ状態になることはなく、リレー遮断状態検知手段６に電力が供給される。
【００２９】
なお、リレー遮断検知手段６には入力された電力にて、直接駆動できる素子を用いることでリレー３の異常を検知しても良い。素子としては、交流駆動ＬＥＤやハロゲンヒータを用いることで、リレー３が異常状態の場合などには、ＡＣ  ＳＷ２がＯＮ状態にされても、リレー３がＯＦＦ接点のままであり、リレー遮断検知手段６に電流が流れて発光し、異常状態を知らせることが出来る。
【００３０】
すなわち、リレー３が異常状態の場合にはリレー３は駆動せず、ＡＣ  ＳＷ２がＯＮ状態にされた際に、リレー３のＯＦＦ接点に電流が流れる。また、リレー遮断検知手段６は、リレー３のＯＦＦ接点に流れたＡＣ電源をＤＣ電源にするための整流回路を有し、整流後のＤＣ信号で発光素子を駆動させてリレー３の遮断状態を発信する。
【００３１】
図３は、本発明の他の実施形態における電源管理システムのフローチャート図である。ＡＣ  ＳＷ２がＯＮ状態になると（ステップＳ２１）、コントローラ４は、ＡＣ  ＳＷ２のＯＮを検知する（ステップＳ２２）。
【００３２】
リレー駆動回路５は、コントローラ４よりリレー駆動信号を受け取って、リレー３に電流を流してＯＮ状態にする（ステップＳ２３）。
【００３３】
リレー遮断状態検知手段６は、電力が供給されたか否かによりリレー３がＯＮ状態か否かを判断する（ステップＳ２４）。リレー３がＯＦＦ状態と判断されれば、リレー遮断状態検知手段６は、コントローラ４へリレー遮断状態検知信号を送出する（ステップＳ２５）。
【００３４】
コントローラ４は、リレー遮断状態検知手段６よりリレー遮断状態検知信号を受け取って、リレー３のＯＦＦ状態を認識する（ステップＳ２６）。
【００３５】
本実施形態においては、リレー遮断状態検知手段６にて検知された際、リレー遮断状態検知信号を画像形成装置を制御するコントローラ４へと出力し、コントローラ４の検知手段にて、リレー３が遮断していることを認識させる。
【００３６】
図４は、本発明の他の実施形態における電源管理システムのフローチャート図である。ＡＣ  ＳＷ２がＯＮ状態になると（ステップＳ３１）、コントローラ４は、ＡＣ  ＳＷ２のＯＮを検知する（ステップＳ３２）。
【００３７】
リレー駆動回路５は、コントローラ４よりリレー駆動信号を受け取って、リレー３に電流を流してＯＮ状態にする（ステップＳ３３）。
【００３８】
リレー遮断状態検知手段６は、電力が供給されたか否かによりリレー３がＯＮ状態か否かを判断する（ステップＳ３４）。リレー３がＯＦＦ状態であれば、所定時間待機した後（ステップＳ３５）、リレー遮断状態検知手段６は、コントローラ４へリレー遮断状態検知信号を送出する（ステップＳ３６）。
【００３９】
コントローラ４は、リレー遮断状態検知手段６よりリレー遮断状態検知信号を受け取って、リレー３のＯＦＦ状態を認識する（ステップＳ３７）。
【００４０】
リレー遮断状態検知手段６は、ＡＣ  ＳＷ２がＯＮ状態で、リレー３がＯＦＦ状態の場合にリレー遮断と判断するが、リレー３はコントローラ４からのＯＮ要求を、リレー駆動回路５でドライブするため、ＡＣ  ＳＷ２のＯＮよりもＯＮタイミングが遅れることになる。そのため、ＡＣ  ＳＷ２がＯＮしてからリレー３がＯＮするまでの時間を待たなければ、リレー３の遮断状態を誤検知してしまう恐れがある。
【００４１】
そこで、誤検知防止として、ＡＣ  ＳＷ２がＯＮ状態にされてから、コントローラ４でリレー３の遮断状態を検知するまでの時間を設定し、設定された時間が経過するまではコントローラ４では検知しないことで誤検知を防止することができる。
【００４２】
また、リレー３をＯＮ状態にするためのリレー駆動信号の出力をトリガとして、リレー遮断検知手段６からリレー遮断検知信号を送出することで、ＡＣ  ＳＷ２のＯＮ状態とリレー３のＯＮ状態のタイミング差による誤検知を防ぐことが可能である。この場合には、例えば、コントローラ４がリレー駆動信号出力タイミングを送出したのと同時に、リレー遮断検知手段へその旨を伝える信号を送出することで、リレー駆動回路５からのリレー駆動信号の出力タイミングを検知することが可能である。
【００４３】
図５は、本発明の他の実施形態における電源管理システムのフローチャート図である。ＡＣ  ＳＷ２がＯＮ状態になると（ステップＳ４１）、コントローラ４は、ＡＣ  ＳＷ２のＯＮを検知する（ステップＳ４２）。
【００４４】
リレー駆動回路５は、コントローラ４よりリレー駆動信号を受け取って、リレー３に電流を流してＯＮ状態にする（ステップＳ４３）。
【００４５】
リレー遮断状態検知手段６は、電力が供給されたか否かによりリレー３がＯＮ状態か否かを判断する（ステップＳ４４）。リレー３がＯＦＦ状態であれば、リレー遮断状態検知手段６は、コントローラ４へリレー遮断状態検知信号を送出する（ステップＳ４５）。
【００４６】
コントローラ４は、リレー遮断状態検知手段６よりリレー遮断状態検知信号を受け取って、リレー３のＯＦＦ状態を認識する（ステップＳ４６）。認識した回数が２回目であるか否かを判断して（ステップＳ４７）、初めての認識であればステップＳ４３からの処理を繰り返す。
【００４７】
本実施形態では、リレー遮断状態検知手段６にて遮断状態を検知し、画像形成装置を制御するコントローラ４へリレー遮断検知信号を入力して遮断状態を認識させた際、再度、リレー駆動回路５にリレー駆動信号を出力して、リレーの故障状態を再度確認させる。
【００４８】
このようにして、再度リレーの駆動指示及び状態の認識を行うことで、リレーの故障検知精度を向上させることが可能である。
【００４９】
図６は、本発明の他の実施形態における電源管理システムのフローチャート図である。ＡＣ  ＳＷ２がＯＮ状態になると（ステップＳ５１）、コントローラ４は、ＡＣ  ＳＷ２のＯＮを検知する（ステップＳ５２）。
【００５０】
リレー駆動回路５は、コントローラ４よりリレー駆動信号を受け取って、リレー３に電流を流してＯＮ状態にする（ステップＳ５３）。
【００５１】
リレー遮断状態検知手段６は、電力が供給されたか否かによりリレー３がＯＮ状態か否かを判断する（ステップＳ５４）。リレー３がＯＦＦ状態であれば、リレー遮断状態検知手段６は、コントローラ４へリレー遮断状態検知信号を送出する（ステップＳ５５）。
【００５２】
コントローラ４は、リレー遮断状態検知手段６よりリレー遮断状態検知信号を受け取って、リレー３のＯＦＦ状態を認識する（ステップＳ５６）。認識後、異常状態を伝達手段８へと通知する（ステップＳ５７）。
【００５３】
本実施形態では、コントローラ４にてリレー３が遮断状態（故障状態）にあると判断されたとき、コントローラ４からリレー３の異常状態を伝達手段８へ出力する。伝達手段８では、コントローラ４から異常状態を知らされると異常状態を表示する為の制御信号を操作部等へ出力する。
【００５４】
また、伝達手段８では、コントローラ４からの異常状態を知らせる音声出力を行ったり、コントローラ４と接続されているネットワークを介して、他の機器などに異常状態の送信を行ったりしても良い。
【００５５】
図７は、本発明の他の実施形態における電源管理システムのフローチャート図である。ＡＣ  ＳＷ２がＯＮ状態になると（ステップＳ６１）、コントローラ４は、ＡＣ  ＳＷ２のＯＮを検知する（ステップＳ６２）。
【００５６】
リレー駆動回路５は、コントローラ４よりリレー駆動信号を受け取って、リレー３に電流を流してＯＮ状態にする（ステップＳ６３）。
【００５７】
リレー遮断状態検知手段６は、電力が供給されたか否かによりリレー３がＯＮ状態か否かを判断する（ステップＳ６４）。リレー３がＯＦＦ状態であれば、リレー遮断状態検知手段６は、コントローラ４へリレー遮断状態検知信号を送出する（ステップＳ６５）。
【００５８】
コントローラ４は、リレー遮断状態検知手段６よりリレー遮断状態検知信号を受け取って、リレー３のＯＦＦ状態を認識する（ステップＳ６６）。認識後、コントローラ４は、ＡＳＩＣ９と記憶装置７との通信を遮断する（ステップＳ６７）。
【００５９】
本実施形態においては、コントローラ４にてリレー３が遮断状態（故障状態）にあると認識されたときには、電源ＯＦＦのタイミングを制御することが出来なくなるため、機器への安全策として、ＡＳＩＣ９と記憶装置７との通信をコントローラ４にて遮断することで、記憶装置７の破損・故障を防ぐことが可能となる。
【００６０】
本発明の実施形態における電源管理システムでは、物理的な電源ＳＷと別に、リレーを設け、そのリレーのオフタイミングを制御することで、機器の安全を管理する。本構成により、リレーが故障しており、制御できなくなる状態を検知できる。また、その旨を発信することで、故障状態を知ることができ、機器の故障防止、機器内の部品、データの損傷・紛失防止に効果がある。
【００６１】
また、リレーが遮断されていることを装置を制御するコントローラが認識することで、リレー故障を知ることができ、部品の状態異常を知り、機器の故障防止、機器内の部品、データの損傷・紛失防止に効果がある。
【００６２】
また、リレーのＯＦＦ状態を検知する際、電源ＳＷとリレーのＯＮするタイミング差を考慮してリレーＯＦＦ状態を検知することで、リレー故障の誤検知しなくなり、無駄な部品交換低減、確実な不良部品の検出に効果がある。
【００６３】
また、リレー遮断を検知した際、再度、リレーにＯＮ状態への移行指示を行うことで、ソフト異常によるリレー遮断を回避することができ、無駄な部品交換、確実な不良部品の検出に効果がある。
【００６４】
また、リレー遮断を検知した際、表示手段や音声、ネットワーク伝達手段により、故障したと同時に、ユーザや管理者、サービスマンに知らせることができ、迅速な部品効果を行うことができ、機器の故障防止、機器内の部品、データの損傷・紛失防止に効果がある。
【００６５】
また、リレー遮断を検知した際、機器内、または機器と接続された記憶装置との通信を遮断することで、記憶装置の故障、破損防止、通信中データの紛失防止に効果がある。
【００６６】
以上、実施の形態を説明したが、特許請求の範囲に定義された本発明の広範囲な趣旨および範囲から逸脱することなく、これら実施の形態や具体例に様々な修正および変更が可能である。
【産業上の利用可能性】
【００６７】
ＡＣスイッチとリレーを持つ電源を用いる機器全てに適用可能である。
【符号の説明】
【００６８】
１    電源
２    ＡＣ  ＳＷ
３    リレー
４    ＣＴＬ
５    リレー駆動回路
６    リレー遮断状態検知手段
７    記憶装置
８    伝達手段
９    ＡＳＩＣ
【先行技術文献】
【特許文献】
【００６９】
【特許文献１】特許第３７４０１８２号公報
【図１】
2011061983.tif 000003
【図２】
2011061983.tif 000004
【図３】
2011061983.tif 000005
【図４】
2011061983.tif 000006
【図５】
2011061983.tif 000007
【図６】
2011061983.tif 000008
【図７】
2011061983.tif 000009